(57)【要約】【課題】釦の軸支持部に水が浸入しにくく、また故障しにくい電気機器用押し釦スイッチを提供する。【解決手段】電気機器（図示せず）の器体７に設けた穴８から突出すると共に外部から押し操作される釦９と、前記釦９の根元の全周にわたり一体に、かつ水平に張り出して形成されたフランジ１０と、前記釦９が取り付けられた軸１５と、前記軸１５を摺動自在に支持する軸支持部１２を有するスイッチ枠体１６とを備え、前記軸１５の前記軸支持部１２周囲を環状に取り囲むと共に上方に垂直に突出する防水壁１３を設けたもので、器体７内へ進入した水は、軸支持部１２を環状に取り囲む防水壁１３にさえぎられ、軸支持部１２に到達するのを防止し、故障しにくく信頼性の高いものである。【選択図】図１
2007188761.tif 000002
【特許請求の範囲】
【請求項１】
電気機器の器体に設けた穴から突出すると共に外部から押し操作される釦と、前記釦の根元の全周にわたり一体に、かつ水平に張り出して形成されたフランジと、前記釦が取り付けられた軸と、前記軸を摺動自在に支持する軸支持部を有するスイッチ枠体とを備え、前記軸の前記軸支持部周囲を環状に取り囲むと共に上方に突出する防水壁を設けた電気機器用押し釦スイッチ。
【請求項２】
スイッチ枠体の上面を覆う防水カバーを設け、前記防水カバーに防水壁を一体に形成した請求項１に記載の電気機器用押し釦スイッチ。
【請求項３】
フランジの外周下部に、環状リブを垂下形成し、前記環状リブを防水壁の外側に位置させた請求項１又は２に記載の電気機器用押し釦スイッチ。
【請求項４】
釦のストロークの下死点で、環状リブと防水壁が垂直方向でオーバーラップするようにした請求項３に記載の電気機器用押し釦スイッチ。
【発明の詳細な説明】
【技術分野】
【０００１】
本発明は、家庭の調理機器等の電気機器に組み込まれる電気機器用押し釦スイッチに関するもので、特に防水の構成に関するものである。
【背景技術】
【０００２】
従来の電気機器用押し釦スイッチは、釦の根元全周に水平に張り出したフランジを設けて、電気機器の器体に設けた穴と釦の隙間から器体内へ水などの異物が浸入しにくいように構成されていた（例えば、特許文献１参照）。
【０００３】
図３は、上記特許文献１に開示された従来の電気機器用押し釦スイッチの例を示すもので、釦１の根元全周に水平に張り出したフランジ２を設けて、器体３に設けた穴３ａと、釦１との間の隙間４から、器体３内へ水などが浸入しにくいようにしている。
【特許文献１】実公昭６２−４５６２４号公報
【発明の開示】
【発明が解決しようとする課題】
【０００４】
しかしながら、前記従来の電気機器用押し釦スイッチの構成によると、釦１を取り付けた軸５を支持する軸支持部６に、器体３内へ進入した水の一部が到達する場合があり、軸５の動作が円滑でなくなったり、また軸支持部６からさらに電気機器用押し釦スイッチの内部に水が浸入して電気機器用押し釦スイッチの故障の原因になるといった課題があった。
【０００５】
本発明は、前記従来の課題を解決するもので、器体内へ進入した水が軸支持部に到達するのを防止して故障しにくい電気機器用押し釦スイッチを提供することを目的とする。
【課題を解決するための手段】
【０００６】
前記従来の課題を解決するために、本発明の電気機器用押し釦スイッチは、電気機器の器体に設けた穴から突出すると共に外部から押し操作される釦と、前記釦の根元の全周にわたり一体に、かつ水平に張り出して形成されたフランジと、前記釦が取り付けられた軸と、前記軸を摺動自在に支持する軸支持部を有するスイッチ枠体とを備え、前記軸の前記軸支持部周囲を環状に取り囲むと共に上方に突出する防水壁を設けたもので、器体内へ進入した水が、軸支持部を環状に取り囲む防水壁にさえぎられ、軸支持部に到達するのを防止し、故障しにくく信頼性の高いものである。
【発明の効果】
【０００７】
本発明の電気機器用押し釦スイッチは、器体内へ進入した水が、軸支持部を環状に取り囲むように設けた防水壁にさえぎられて、軸支持部に到達するのを防止し、故障しにくく信頼性の高いものである。
【発明を実施するための最良の形態】
【０００８】
第１の発明は、電気機器の器体に設けた穴から突出すると共に外部から押し操作される釦と、前記釦の根元の全周にわたり一体に、かつ水平に張り出して形成されたフランジと、前記釦が取り付けられた軸と、前記軸を摺動自在に支持する軸支持部を有するスイッチ枠体とを備え、前記軸の前記軸支持部周囲を環状に取り囲むと共に上方に突出する防水壁を設けたもので、器体内へ進入した水が、軸支持部を環状に取り囲む防水壁にさえぎられ、軸支持部に到達するのを防止し、故障しにくく信頼性の高いものである。
【０００９】
第２の発明は、特に、第１の発明のスイッチ枠体の上面を覆う防水カバーを設け、前記防水カバーに防水壁を一体に形成したもので、防水壁とスイッチ枠体上面との間に隙間がないので、器体の穴と釦の隙間から器体内へ浸入した水が、防水壁とスイッチ枠体上面の隙間から釦の軸支持部に浸入することがない。
【００１０】
第３の発明は、特に、第１又は第２のフランジの外周下部に、環状リブを垂下形成し、前記環状リブを防水壁の外側に位置させたもので、万一、器体の穴と釦の隙間から器体内へ水が勢いよく浸入した場合でも、環状リブにより防水壁に達する前に水の勢いが弱められ、水が防水壁をのり越えにくくして釦の軸支持部に水が浸入しないようにすることができる。
【００１１】
第４の発明は、特に、第３の発明の釦のストロークの下死点で、環状リブと防水壁が垂直方向でオーバーラップするようにしたもので、万一、器体の穴と釦の隙間から器体内へ水が勢いよく浸入した場合でも、防水壁とオーバーラップした環状リブにより水の勢いが弱められ、水が防水壁をのり越えないようにして釦の軸支持部に水が浸入しないようにすることができる。
【００１２】
以下、本発明の実施の形態について、図面を参照しながら説明する。なお、この実施の形態によって本発明が限定されるものではない。
【００１３】
（実施の形態１）
図１は、本発明の実施の形態１における電気機器用押し釦スイッチの要部断面図（「切」状態）、図２は、同電気機器用押し釦スイッチの要部断面図（「入」状態）である。
【００１４】
図１、図２において、本実施の形態における電気機器用押し釦スイッチ２０は、外部から押し操作される釦９と、先端に釦９が取り付けられた軸１５と、軸１５を摺動自在に支持する軸支持部１２を有するスイッチ枠体１６と、スイッチ枠体１６の上面を覆う防水カバー１４を備えると共に、電気機器（図示せず）の器体７に設けた穴８から前記釦９の先端が突出するよう取り付けられる。釦９の根元全周には、水平に張り出したフランジ１０を一体に有し、このフランジ１０の外周下部に環状リブ１１が垂下形成されている。
【００１５】
さらに、釦９の軸１５を支持する軸支持部１２の周囲は、防水壁１３により環状に取り囲まれており、その防水壁１３は、スイッチ枠体１６の上面を覆う防水カバー１４と一体に形成されている。
【００１６】
さらに、環状リブ１１は、防水壁１３の外側に位置し、釦９のストロークの下死点においても環状リブ１１と防水壁１３を垂直方向でオーバーラップさせている。
【００１７】
以上のように、本実施の形態によれば、穴８と釦９の隙間から器体７内へ進入した水は、軸支持部１２を環状に取り囲むように設けた防水壁１３にさえぎられて、軸支持部１２に至るのを防止でき、また防水壁１３が、防水カバー１４に一体に形成されているので、スイッチ枠体１６上面と防水壁１３との間に隙間がなくなり、軸支持部１２への水の浸入を確実に防げる。さらに、穴８と釦９の隙間から器体７内へ水が勢いよく浸入した場合にでも、防水壁１３とオーバーラップさせた環状リブ１１により、防水壁１３に水が達する前に水の勢いが弱められ防水壁１３をのり越えないようにして、軸支持部１２に水が浸入することなく、故障しにくい電気機器用押し釦スイッチが得られる。
【産業上の利用可能性】
【００１８】
以上のように本発明にかかる電気機器用押し釦スイッチは、電気機器の器体内部に容易に水などの液体が侵入しないので、ミキサーなど水を使用する調理器等の各種電気機器に適用できる。
【図面の簡単な説明】
【００１９】
【図１】本発明の実施の形態１における電気機器用押し釦スイッチの要部断面図（「切」状態）
【図２】同電気機器用押し釦スイッチの要部断面図（「入」状態）
【図３】従来の電気機器用押し釦スイッチの要部断面図
【符号の説明】
【００２０】
７  器体
９  釦
１０  フランジ
１１  環状リブ
１２  軸支持部
１３  防水壁
１４  防水カバー
１５  軸
１６  スイッチ枠体
【図１】
2007188761.tif 000003
【図２】
2007188761.tif 000004
【図３】
2007188761.tif 000005